(57)【要約】【課題】  小型化、軽量化を意図する製品において、製品を構成する複数のユニット相互を各ユニットと一体に形成された板金材による取り付けタブにて螺着する際に、過剰な螺子の締め込みにより取り付けタブが変形することがある。本発明はこのような状況に鑑み、締結物の取り付けタブへの突起の凸設、締結物と被締結物を締結させるための取り付けタブ、または、およびユニット筐体の側板の突き合せ部に突起や嵌入孔を具備する手段により、取り付けタブの補強、および変形防止の手段を提供する。【選択図】  図３
2006030331.tif 000002
【特許請求の範囲】
【請求項１】
取り付けタブを介して被締結物を締結物に螺着する構造物において、被締結物の取り付けタブの突出部分の寸法に起因し、被締結物の取り付けタブに必要な螺子孔径の挿通孔を穿設することが不可能な場合に、螺子頭部の下面であって、被締結物の取り付けタブの端辺が及ばない領域の締結物の取り付けタブの面上に被締結物の取り付けタブの材厚と等しい高さの突起を具備したことを特徴とする構造物。
【請求項２】
螺子挿通孔を穿設した被締結物の取り付けタブを締結物の取り付けタブに螺着する構造物において、締結物、または被締結物のいずれか一方の取り付けタブに突起を凸設し、他方の取り付けタブの対応位置に該突起の嵌入孔を穿設したことを特徴とする構造物。
【請求項３】
折り曲げ加工により箱状に形成された構造物の側板の突合せ部分の第１の側板に突起を凸設し、第２の側板を第１の側板に回り込むように折り曲げ、且つ、第１の側板の該突起に対応する第２の側板の位置に該突起が嵌合する嵌入孔を穿設したことを特徴とする構造物。
【請求項４】
光透過型液晶パネルを表示素子とする薄型表示装置において、該薄型表示装置を構成する液晶パネルユニット、およびバックライトユニットの双方が螺着のための取り付けタブを有し、いずれか一方が締結物となり、他方が被締結物である場合であって、被締結物の取り付けタブの突出部分の寸法に起因し、被締結物の取り付けタブに必要な螺子孔径の挿通孔を穿設することが不可能な場合に、螺子の頭部下面であって、被締結物の取り付けタブの端辺が及ばない領域の締結物の取り付けタブの面上に被締結物の取り付けタブの材厚と等しい高さの突起を具備したことを特徴とする薄型表示装置。
【請求項５】
光透過型液晶パネルを表示素子とする薄型表示装置において、該薄型表示装置を構成する液晶パネルユニット、およびバックライトユニットの双方が、螺着のための取り付けタブを有する場合に、いずれか一方の取り付けタブに突起を凸設し、他方の取り付けタブの対応位置に該突起の嵌入孔を穿設したことを特徴とする薄型表示装置。
【請求項６】
光透過型液晶パネルを表示素子とする薄型表示装置において、該薄型表示装置を構成する液晶パネルユニット、およびバックライトユニットの各々が螺着のための取り付けタブを有する別個の筐体に収容されている場合に、
折り曲げ加工により形成された筐体の側板の突合せ部分の第１の側板に突起を凸設し、第２の側板を第１の側板に回り込むように折り曲げ、且つ、第１の側板の該突起に対応する第２の側板の位置に該突起が嵌合する嵌入孔を穿設したことを特徴とする薄型表示装置。
【発明の詳細な説明】
【技術分野】
【０００１】
本発明は、たとえば光透過型液晶表示パネルユニット、およびバックライトユニットなどから構成される薄型表示装置において、前記の各ユニットを一体化するために、前記の各ユニットの外周部に具備した取り付けタブを介し前記の複数のユニットを相互に締結する構造を有する板金部品の組み立て構造技術に関するものである。
【背景技術】
【０００２】
小型化、軽量化を意図する製品を構成するユニットにおいて、ユニットと一体化され、板金により形成された取り付けタブを介し複数のユニットを相互に螺着させる構造物にあっては、螺子の過剰な締め込みによる取り付けタブの変形を防止するために、螺子の締め付けトルク管理を行うのが通例であった。しかしながら、トルク管理は作業性の低下を招き、または締結機能の信頼性の維持確保に問題があった。
【０００３】
従来技術における複数ユニットを相互に螺着させる第一の実施例を図９、および図１０とともに説明する。図９は薄型表示装置を構成する液晶表示パネルユニットとバックライトユニットの螺着前のタブ部分の載置状態を示す平面図であり、図１０は図７中の鎖線Ｃ−Ｃで示す切断線に沿って切断した断面図である。図９と図１０において、７aは液晶パネル保持金具、１２dはバックライトユニット、１３aは液晶表示パネルユニット、１４aは液晶パネル取り付けタブ、１５eはバックライト取り付けタブ、１６aはバーリング孔、１７は螺子である。液晶表示パネルユニット１３aにおいて、外形寸法を極小化すべき他の製品で使用される液晶パネルユニット１３aを共通に使用する場合で、図９に示すごとく液晶パネル取り付けタブ１４aの突出寸法が短く、液晶パネル取り付けタブ１４aに締結用螺子の挿通孔として円形の螺子孔を穿設することが不可能な場合は、液晶パネル取り付けタブ１４aの螺子挿通孔はＣ字型の半円状とすることがしばしば行われる。
【０００４】
この場合、液晶パネルユニット１３aとバックライトユニット１２dの相互螺着は、図９中の鎖線Ｃ−Ｃで示す切断線に沿って切断した断面図である図１０に示すごとく、液晶パネル保持金具７aの外周部に一体に形成された液晶パネル取り付けタブ１４aは、バックライトシャーシ１１dの外周部に一体に形成されたバックライト取り付けタブ１５eのバーリング孔１６aに螺子１７にて螺着される。
【０００５】
また、従来技術における複数ユニットを相互に螺着させる第二の実施例を図１２、および図１３とともに説明する。図１２、および図１３において、７ｄは液晶パネル保持金具、１２ｅはバックライトユニット、１３ｃは液晶表示パネルユニット、１４ｄは液晶パネル取り付けタブ、１５ｆはバックライト取り付けタブ、１６ｂはバーリング孔である。製品の外形寸法を小型化すべき必要性から、図１２に示すごとく液晶パネル保持金具７dから突出した液晶パネル取り付けタブ１４d、およびバックライトシャーシ（図示せず）から突出したバックライト取り付けタブ１５fも小型化される。図１３は図１２中に鎖線Ｄ−Ｄで示す切断線に沿って切断した断面図であり、螺子１７は液晶パネル取り付けタブ１４dの挿通孔を挿通し、バックライト取り付けタブ１５fのバーリング孔１６bに螺着される。
【０００６】
図１３に示す液晶パネルユニット１３cは液晶パネル保持金具７dと一体化した液晶パネル取り付けタブ１４dの螺子挿通孔に螺子１７が挿通され、バックライトユニット１２eのバックライトシャーシ１１eと一体化したバックライト取り付けタブ１５fのバーリング孔１６bに螺着する。
【０００７】
また、取り付けタブの端辺の一部が切り欠かれＣ字型に形成された取り付け孔を有する取り付けタブの該取り付け孔の開口部近傍の締結物面上に座面を形成する考案として、特開平１１−３３９４５９「光ディスク装置」が考案されている。しかしながら、該考案は螺子による取り付けタブの過剰な締め込みにより、併用されている弾性ワッシャーがその機能を喪失することを防止する目的でなされたものであり、本発明が課題とする取り付けタブの変形による締結の信頼性の改善とは相違する。
【特許文献１】特開平１１−３３９４５９  「光ディスク装置」
【発明の開示】
【発明が解決しようとする課題】
【０００８】
図９、および図１０とともに説明した第一の従来技術において螺子１７の締め付けトルク管理が不適切な場合、図１１に示すごとく螺子１７の頭部の下面は被締結物である液晶パネル取り付けタブ１４aの上面と部分的に当接しているため、螺子１７を締め込むことにより螺子１７は傾斜し、螺子１７の頭部の下面に接する液晶パネル取り付けタブ１４aの端辺を螺子１７の頭部の下面の外周部に押し出す分力が発生し、液晶パネル取り付けタブ１４aの取り付け部付近の液晶パネル保持金具７aが図１１中に鎖線で示すごとく変形する。液晶パネル保持金具７aの変形の程度によっては液晶パネル取り付けタブ１４aが螺子１７の頭部の外周から離脱し、液晶パネル取り付けタブ１４aをバックライト取り付けタブ１５eに螺着する目的を果たすことができない場合が生ずる。これが第１の課題である。
【０００９】
また、図１２、および図１３とともに説明した第二の従来技術において螺子１７の締め付けトルク管理が不適切な場合、螺子１７を過剰に締めこむ込むことにより図１４に示すごとくバックライト取り付けタブ１５fには螺子１７の軸を回転中心とした回転モーメントが加えられ、図１４中に破線の矢印で示すごとくバックライト取り付けタブ１５fはバックライトシャーシ１１e（図示せず）と共に変形し、締結されるべき液晶パネル取り付けタブ１４dの所定の位置から変位する場合が有る。これが第２の課題である。
【００１０】
また第二の従来技術において螺子１７の締め付けトルク管理が不適切な場合の他の事例として、図１５に示すごとく折り曲げ加工により箱状に形成された液晶パネル保持金具７dの側板の突合せ部分の一方の側板に取り付け孔を穿設した液晶パネル取り付けタブ１４dを具備し、螺着の際に前記の取り付け孔に挿通した螺子１７を過剰に締め込むことにより取り付けタブ１４dと一体化した側板が図１５中の鎖線で示すごとく変形し、液晶パネル保持金具７dの側板の突合せ部分が乖離する場合がある。これが第３の課題である。
【課題を解決するための手段】
【００１１】
小型化、軽量化を意図する製品において、板金により形成された取り付けタブを介して製品を構成する複数の構造物を相互に螺着する際に、過剰な螺子の締め込みにより取り付けタブが変形することがあり、本発明はこのような状況に鑑み取り付けタブの補強、および変形防止の手段を提供する発明であり、取り付けタブを介して被締結物を締結物に螺着する際に、被締結物の取り付けタブの突出部分の寸法に起因し、螺子の挿通孔として必要な孔径で穿設をすることが不可能でＣ字型の半円状となる場合に、螺子の頭部下面であって、被締結物の取り付けタブの端部が及ばない領域の締結物の取り付けタブの面上に被締結物の取り付けタブの材厚と等しい高さの突起を具備することを特徴とする。
【００１２】
また、螺子の挿通孔を穿設した被締結物の取り付けタブ、および締結物の取り付けタブを螺着する際に、いずれか一方の取り付けタブに突起を凸設し、他方の取り付けタブの対応位置に嵌入孔を穿設し、前記の突起を前記の嵌入孔に嵌合することを特徴とする。
【００１３】
さらに、折り曲げ加工により箱状に形成された構造物の側板の突合せ部分の第１の側板に突起を凸設し、第２の側板を第１の側板に回り込むように折り曲げ、且つ、第１の側板の該突起に対応する位置の第２の側板に該突起が嵌合する嵌入孔を穿設し、該突起を該嵌入孔に嵌合することを特徴とする。
【発明の効果】
【００１４】
本発明においては、取り付けタブを介して被締結物を締結物に螺着する際に、被締結物の取り付けタブの突出部分の不十分な寸法に起因し、螺子の挿通孔として必要な孔径で穿設することが不可能でＣ字型の半円状となる場合に、被締結物の取り付けタブの端辺が及ばない領域の締結物の取り付けタブの面上に被締結物の取り付けタブの材厚と等しい高さの突起を具備することにより、過剰な螺子の締め込みにより螺子が傾き、あるいは被締結物の取り付けタブが螺子の頭部下面から外周に向かい押し出されることを防止することができる。
【００１５】
また、取り付けタブを介して被締結物を締結物に螺着する際に、締結物、または被締結物のいずれか一方の取り付けタブに突起を凸設し、他方の取り付けタブの対応位置に嵌入孔を穿設し、前記の突起を前記の嵌入孔に嵌合することにより螺子の締め込み時の回動により他方の取り付けタブが応動し、変形することを防止することができる。
【００１６】
さらに、折り曲げ加工により箱状に形成された構造物の側板の突合せ部分の第１の側板に突起を凸設し、第２の側板を第１の側板に回り込むように折り曲げ、且つ、第１の側板の該突起に対応する第２の側板の位置に嵌入孔を穿設し、該突起を該嵌入孔に嵌合する。これにより前記の第２の側板と一体に配設された取り付けタブの螺子挿通孔に挿通された螺子を過剰に締めこむことによる第２の側板の変形を防止することができる。
【発明を実施するための最良の形態】
【００１７】
図に基づいて本発明の実施形態を液晶テレビに適用した場合に関し、以下に説明する。図１は液晶テレビの外観図である。図１において、６は画像表示を行う光透過型液晶パネル、１は前キャビネット、２は後ろキャビネット、３は液晶テレビ本体の操作ボタン、４はスピーカー、５はスタンドを示す。
【００１８】
次に、図２に基づいて液晶テレビ内部の表示光学系の構成を説明する。光透過型液晶パネル６は液晶パネル保持金具７a〜ｃに保持され液晶パネルユニット１３a、ｂを構成している。バックライトシャーシ１１a〜ｃの光透過型液晶パネル６側には光反射板１０が図示しないランプクリップで固定され、光反射板１０の前面には、両端を固定された複数本の発光管９が、さらに、その前面に光拡散板８が配置されている。この部分の組み立て手順としては、バックライトシャーシ１１a〜ｃの光反射型液晶パネル６側にランプクリップにて光反射板１０を固定した後にランプクリップをバックライトシャーシ１１a〜ｃに固定し、次に、光拡散板８をバックライトシャーシ１１a〜ｃに、図示しないビスにて固定し、バックライトユニット１２a〜ｃが完成する。
【００１９】
図３は、光透過型液晶パネル６を液晶パネル保持金具７a〜ｃ内に組み込み、一体化した液晶パネルユニット１３a、ｂ、およびバックライトシャーシ１１a〜ｃ内に光反射板、発光管、光拡散板を組み込み、一体化したバックライトユニット１２a〜ｃの斜視図を示している。液晶パネルユニット１３a、ｂの外周部には液晶パネル取り付けタブ１４a〜ｃを具備し、同様にバックライトユニット１２a〜ｃの外周部にはバックライト取り付けタブ１５a〜ｄを具備している。液晶パネルユニット１３a、ｂは液晶パネル取り付けタブ１４a〜ｃを介し、バックライトユニット１２a〜ｃのバックライト取り付けタブ１５a〜ｄに螺子１７により螺着されている。
【００２０】
次に、本発明の第１の実施形態について説明する。第１の実施形態は、液晶パネル取り付けタブ１４aの突出寸法が短く、螺子１７を締め込むことにより螺子１７が傾斜することを防止するものである。図４は液晶パネル取り付けタブ１４a、およびバックライト取り付けタブ１５aの平面図である。図６は図４中の切断線Ａ−Ａに沿って切断した断面図である。液晶パネル取り付けタブ１４aの端辺が及ばない螺子１７の頭部の下面に、高さが液晶パネル取り付けタブ１４aの材厚と等しい高さの突起１８aが凸設されている。液晶パネル取り付けタブ１４aをバックライト取り付けタブ１５aに穿設されたバーリング孔１６aに螺着するために、螺子１７を締め込むと螺子１７の頭部の下面は液晶パネル取り付けタブ１４a、およびバックライト取り付けタブ１５aの上面に凸設された突起１８aの頂部に当接するため、液晶パネル取り付けタブ１４aを、バックライト取り付けタブ１５aに螺子１７により堅固に螺着することが可能となる。
【００２１】
液晶パネル取り付けタブ１４aの端辺が及ばない螺子１７の頭部の下面に、高さが液晶パネル取り付けタブ１４aの材厚と等しい高さでバックライト取り付けタブ１５aに凸設される突起の数と形状は、図４の１８aに示す単数の断面円形の突起に限定せず、図５の平面図、および図５中に鎖線Ｂ−Ｂで示す切断線に沿って切断した断面図６に示すごとく螺子１７の頭部の下面に沿って半円状の突起１８bをバックライト取り付けタブ１５bの上面に凸設する手段、さらには複数の断面円形の突起を螺子１７の頭部の下面に沿って凸設する手段（図示せず）も可能である。
【００２２】
次に、本発明の第２の実施形態について説明する。第２の実施形態は、螺子１７の過剰な締め込みにより、バックライト取り付けタブが変形し液晶パネル取り付けタブの位置から変位する問題を解決するための発明である。図７（a）は液晶パネル取り付けタブ１４b、およびバックライト取り付けタブ１５cの平面図、図７（b）は図７（a）中の切断線Ｅ−Ｅに沿って切断した断面図を示している。液晶パネル取り付けタブ１４bには図７（a）、および図７（b）中に示す突起２７をバックライト取り付けタブ１５cに向かって凸設する。一方、バックライト取り付けタブ１５cには前記の突起２７の嵌入孔２８を穿設する。液晶パネル取り付けタブ１４bをバックライト取り付けタブ１５cに所定の位置関係となるよう当接させると、液晶パネル取り付けタブ１４bに凸設された突起２７はバックライト取り付けタブ１５cに穿設された嵌入孔２８に嵌合する。
【００２３】
液晶パネル取り付けタブ１４bに凸設された突起２７がバックライト取り付けタブ１５cに穿設された嵌入孔２８に嵌合した状態では螺子１７を過剰に締め込むことがあった場合においても、液晶パネル取り付けタブ１４b、およびバックライト取り付けタブ１５cは螺子１７を含めた複数箇所で係止されるために螺子１７の締め込み時の回動によりバックライト取り付けタブ１５cが応動し変形することが防止できる。図７（a）、および図７（b）中に示す２組の突起２７、および嵌入孔２８は１組でも同様に有効である。また、突起２７、および嵌入孔２８は締結物、および被締結物のいずれの側に配置しても同様に有効である。
【００２４】
次に、本発明の第３の実施形態について説明する。第３の実施形態は、螺子１７を過剰に締め込むことにより、図１５中に鎖線で示すごとく従来技術における液晶パネル保持金具７d、または、およびバックライトシャーシ（図示せず）の側板の変形が発生する問題を防止する発明である。図８（a）は上面図、図８（b）は図８（a）中の鎖線Ｆ−Ｆで示す切断線に沿って切断した液晶パネル保持金具７cの断面図である。図８（a）、および（b）に示すごとく液晶パネル保持金具７c、およびバックライトシャーシ１１cの側面板を補強するために、側面板の一部は液晶パネル保持金具７c、およびバックライトシャーシ１１cの上面板側に回りこみ折り曲げられ補強曲げ部２９a、および２９bを形成している。
【００２５】
液晶パネル保持金具７cの折り曲げ加工時には液晶パネル保持金具７cの上面板を内角が直角になるよう折り曲げた後に側面板を同様に折り曲げ加工するものとすると、液晶パネル保持金具７cの側面板と一体に形成された補強曲げ部２９aは液晶パネル保持金具７cの上面板の外面に向かって凸設された突起３０と当接しながら摺動し、液晶パネル保持金具７cの側面板が直角に折り曲げられた状態では図８（a）、および図８（b）に示すごとく液晶パネル保持金具７cの上面板の突起３０が側面板と一体に形成された補強曲げ部２９aに穿設された嵌入孔３１に嵌合し、補強曲げ部２９aは液晶パネル保持金具７cの上面板に係止される。前記の構造はバックライトシャーシ（図示せず）についても同様である。液晶パネル取り付けタブ１４c、およびバックライト取り付けタブ１５dを螺着する際に螺子１７を過剰に締め込んだ場合にあっても液晶パネル保持金具７c、または、およびバックライトシャーシ１１cの側面板の変形を発生することを防止することができる。
【産業上の利用可能性】
【００２６】
本発明は、実施例としての薄型表示装置に限定されず、小型化、軽量化を意図する製品の主に板金材料による構造物において、必要な組み立て強度を維持確保する手段を提供する。
【図面の簡単な説明】
【００２７】
【図１】本発明の実施例である液晶テレビの外観図を示す図である。
【図２】本発明の実施例である液晶テレビ内部の表示光学系の分解斜視図である。
【図３】本発明の実施例である液晶テレビ内部の液晶パネルユニット、およびバックライトユニットを取り付けタブにより螺着した斜視図である。
【図４】本発明の実施例である液晶テレビ内部のバックライト取り付けタブと液晶パネル取り付けタブの平面図である。
【図５】本発明の実施例である液晶テレビ内部のバックライト取り付けタブと液晶パネル取り付けタブの平面図である。
【図６】本発明の実施例である液晶テレビ内部のバックライト取り付けタブと液晶パネル取り付けタブの断面図である。
【図７】本発明の実施例である液晶テレビ内部の液晶パネル取り付けタブとバックライト取り付けタブの平面図、断面図である。
【図８】本発明の実施例である液晶テレビ内部の液晶パネル保持金具の上面図、断面図である。
【図９】従来技術における液晶テレビ内部の液晶パネル取り付けタブ、およびバックライト取り付けタブの拡大平面図である。
【図１０】従来技術における液晶テレビ内部の液晶パネル取り付けタブ、バックライト取り付けタブ、および両者を螺着する螺子の断面図である。
【図１１】従来技術における液晶テレビ内部の液晶パネル取り付けタブをバックライト取り付けタブに螺着時の断面図である。
【図１２】従来技術における液晶テレビ内部の液晶パネル取り付けタブ、およびバックライト取り付けタブの平面図である。
【図１３】従来技術における液晶テレビ内部の液晶パネル取り付けタブ、およびバックライト取り付けタブの断面図である。
【図１４】従来技術における液晶テレビ内部の液晶パネル取り付けタブをバックライト取り付けタブに螺着時の平面図である。
【図１５】従来技術における液晶テレビ内部の液晶パネル取り付けタブをバックライト取り付けタブに螺着時の平面図である。
【符号の説明】
【００２８】
１：前キャビネット
２：後ろキャビネット
３：操作ボタン
４：スピーカー
５：スタンド
６：光透過型液晶パネル
７a：液晶パネル保持金具
７b：液晶パネル保持金具
７c：液晶パネル保持金具
７d：液晶パネル保持金具
８：光拡散板
９：発光管
１０：光反射板
１１a：バックライトシャーシ
１１b：バックライトシャーシ
１１c：バックライトシャーシ
１１d：バックライトシャーシ
１１e：バックライトシャーシ
１２a：バックライトユニット
１２b：バックライトユニット
１２c：バックライトユニット
１２d：バックライトユニット
１２e：バックライトユニット
１３a：液晶パネルユニット
１３b：液晶パネルユニット
１３c：液晶パネルユニット
１４a：液晶パネル取り付けタブ
１４b：液晶パネル取り付けタブ
１４c：液晶パネル取り付けタブ
１４d：液晶パネル取り付けタブ
１５a：バックライト取り付けタブ
１５b：バックライト取り付けタブ
１５c：バックライト取り付けタブ
１５d：バックライト取り付けタブ
１５e：バックライト取り付けタブ
１５f：バックライト取り付けタブ
１６a：バーリング孔
１６b：バーリング孔
１７：螺子
１８a：突起
１８b：突起
２７：突起
２８：嵌入孔
２９a：補強曲げ部
２９b：補強曲げ部
３０：突起
３１：嵌入孔
【図２】
2006030331.tif 000003
【図３】
2006030331.tif 000004
【図４】
2006030331.tif 000005
【図５】
2006030331.tif 000006
【図６】
2006030331.tif 000007
【図７】
2006030331.tif 000008
【図８】
2006030331.tif 000009
【図９】
2006030331.tif 000010
【図１０】
2006030331.tif 000011
【図１１】
2006030331.tif 000012
【図１２】
2006030331.tif 000013
【図１３】
2006030331.tif 000014
【図１４】
2006030331.tif 000015
【図１５】
2006030331.tif 000016
【図１】
2006030331.tif 000017